(57)【要約】　　　（修正有）【課題】直管形蛍光ランプの４本詰め用でも、個装箱の使用を省略できる包装箱を提供する。【解決手段】包装箱は、長手方向の両端に開口を有し、包装材を矩形状に折り曲げ、かつ接合した本体部１と；その長手方向に、収容部を矩形状にほぼ二分する仕切体１ｆと；本体部の両端において仕切体の平面方向に対向する一対の辺縁部から突出して、先端部６が開口のほぼ中央位置において収容部側に向かって折り曲げられる一対のフラップ２、２と；本体部の両端において仕切体の平面方向に平行な辺縁部から延長し、フラップ外面を覆うように折り曲げて閉塞する蓋部３と；を具備している。仕切体によって区分けされた収容部内に並装された２本の被包装物品Ｌの間に一対のフラップの先端部が両端の開口付近にそれぞれ挟まれるように位置するため、両者が直接当接することがなく、個装箱を使用せず略十字状の仕切体を設けた場合と同等の緩衝作用を有する。【選択図】　図１
2004026220.tif 000002
【特許請求の範囲】
【請求項１】
長手方向の両端に開口を有し、内部に収容部が形成されるように包装材を矩形状に折り曲げ、かつ接合して形成された本体部と；
本体部の長手方向にわたって収容部を矩形状にほぼ二分するように配置された面状の仕切体と；
本体部の両端において仕切体の平面方向に対向する一対の辺縁部から一体的に突出して開口を塞ぐように折り曲げられ、先端部が開口のほぼ中央位置において収容部側に向かって折り曲げられるように形成された一対のフラップと；
本体部の両端において仕切体の平面方向に平行な辺縁部から一体に突出して、フラップの外面を覆うように折り曲げられて開口を閉塞する蓋部と；
を具備していることを特徴とする包装箱。
【請求項２】
仕切体は、包装材と一体的に形成されており、包装材を矩形状に折り曲げる際に収容部内に折り込むことによって配置されていることを特徴とする請求項１記載の包装箱。
【請求項３】
一対のフラップの先端部および仕切体の端部のそれぞれの平面がほぼ直交した状態で互いに差込みが可能なように一対のフラップの先端部および仕切体の端部の少なくとも一方に切欠き溝が形成されていることを特徴とする請求項１または２記載の包装箱。
【請求項４】
請求項１ないし３いずれか一記載の包装箱と；
包装箱内に収容された物品と；
を具備していることを特徴とする物品包装体。
【発明の詳細な説明】
【０００１】
【発明の属する技術分野】本発明は、包装箱およびこれを用いた物品包装体に関する。
【０００２】
【従来の技術】厚紙を切り抜き、折り曲げ、かつ、接合して形成された本体部の両端開口に互いに対向する辺縁部から一体に突出する一対の内フラップと、上記辺縁部と直交する辺縁部から一体に突出する差し込みフラップとを備えた構造の包装箱は、古くから各種物品を包装する際に多用されている。
【０００３】
２本の直管形蛍光ランプを単一の包装箱に収納した２個詰め用の包装箱においても、上記の構造が採用されている。このような２個詰め用の包装箱は、ランプ毎の個装箱（サック）が不要となるため、包装コストを削減できるとともに、省資源にもつながるものである。そして、直管形蛍光ランプは、包装箱に収納された状態で、かつ、一般に立てた状態で店内に展示され、販売される。
【０００４】
図４および図５は、従来の直管形蛍光ランプ２本を収納する包装箱を示し、図４は斜視図、図５は展開図である。各図において、１０１は本体部、１０２は内フラップ、１０３は蓋部、１０４は差込みフラップ、１０５は仕切り壁、１０６、１０７は糊しろである。展示状態で下側になる開口端側の差込みフラップ１０４（図７の右側）を区画する折り曲げ線の両端に切り込みａを形成するとともに、内フラップ１０２のけ根元に段差ｂを形成することで、差込みフラップ１０４を本体部１０１内に差し込んだときに、切り込み線ａの部分が段差ｂに係合して、差込みフラップ１０４が不所望に外れないようにしている。なお、ｃは仕切り壁１０５の端部に形成した楔状の切欠部で、差込みフラップ１０４の差し込みを邪魔しないようにしている。また、仕切り壁１０５は、図５に示すように、糊しろ１０６を介して本体部１０１と一体に包装材から切り抜いて形成されているが、本体部１０１に対する折り曲げ作業を容易にするために、折り曲げ線が切り離し線と交互に組み合わされている。
【０００５】
従来のこの種の包装箱においては、その企図にもかかわらず、展示中に下側の差込みフラップ１０４が本体部１０１の開口から抜け出て内容物の蛍光ランプが抜け落ちてしまうことがあった。このため、本出願人は、差込みフラップ１０４に係合孔を形成し、差込みフラップ１０４が所定位置まで差し込まれたときにその係合孔が係合する係合片を仕切り壁１０５に形成して蛍光ランプが抜け落ちることを防止する発明を特願２００１−３９８５８１号として出願している。
【０００６】
【発明が解決しようとする課題】
【０００７】
上記従来の２本詰め用の包装箱に加えて、４本詰め用の包装箱も個装箱を省略する試みがなされている。この場合、４本の直管形蛍光ランプは各ランプ中心軸が四角形角隅部に位置するように並行に配置された状態で包装箱内に収容されるため、上記従来技術のように一枚の包装材を折り曲げて仕切体を形成することが困難であることから、各ランプが当接しないように略十字状の仕切体を設ける必要がある。
【０００８】
ところが、このような略十字状の仕切体を包装箱と別個に設けると包装箱に使用される包装材が多くなるため、十分なコスト削減効果が期待できず、また略十字状の仕切体を組み立てた後、包装箱の収容部内に挿入して配置するという手間がかかるため、包装箱の組み立てが煩雑になるという不具合があった。
【０００９】
本発明は、４本詰め用であっても、包装材の使用量を多くすることなく個装箱の使用を省略することが可能な包装箱および物品包装体を提供することを目的とする。
【００１０】
【課題を達成するための手段】
請求項１の発明の包装箱は、長手方向の両端に開口を有し、内部に収容部が形成されるように包装材を矩形状に折り曲げ、かつ接合して形成された本体部と；本体部の長手方向にわたって収容部を矩形状にほぼ二分するように配置された面状の仕切体と；本体部の両端において仕切体の平面方向に対向する一対の辺縁部から一体的に突出して開口を塞ぐように折り曲げられ、先端部が開口のほぼ中央位置において収容部側に向かって折り曲げられるように形成された一対のフラップと；本体部の両端において仕切体の平面方向に平行な辺縁部から一体に突出して、フラップの外面を覆うように折り曲げられて開口を閉塞する蓋部と；を具備していることを特徴とする。
【００１１】
本発明および以下の各発明において、特に指定しない限り用語の定義および技術的意味は次による。
【００１２】
本体部は、四つの平面部によって構成されていて、横断面が矩形状をなし、その内部に被包装物品を収納する矩形状の収容部が形成されている。本体部は被包装物品の形状に合わせた適当な縦横比および長さを設定することが許容される。
そして、本体部はその両端が開口している。なお、「包装材」とは、包装箱を形成するのに適当な材料を意味し、たとえば厚紙、段ボール紙、プラスチックスシート材などである。また、被包装物品および包装箱は、特別な物品および特別な包装箱に限定されないが、被包装物品は長手方向に略同一径を有する長尺状の物品であり、収容される４つが略同一形状を有している必要がある。
【００１３】
また、本体部は、包装材を切り抜き、折り曲げ、かつ、所要部分を接着剤や固着具などにより接合して形成されている。
【００１４】
本体部の収容部は、平面状の仕切体によって二分されている。仕切体は本体部のいずれかの平面部に平行に配置され、収容部の容積が１／２ずつになるように矩形状に区分けするものである。仕切体は、本体部と別個に設けて挿入するようにしてもよいし、本体部と一体的に形成してもよい。仕切体は収容部の容積を１／２に区分けするだけの部材であるため、略十字状の仕切体を使用する場合に比べて包装材の使用量が少なくて済む。
【００１５】
一対のフラップは、本体部の両端において、対向する辺縁部から一体に突出して形成され、本体部の開口を塞ぐように折り曲げられるとともに、その先端部が開口のほぼ中央位置においてそれぞれ収容部側に向かって折り曲げられる。この一対のフラップの先端部によって仕切体で１／２に区分けされた収容部の開口付近がさらに１／２に区分けされ、収容部の開口付近に略１／４の大きさに区分けされた矩形領域が形成される。
【００１６】
蓋部は、本体部の両端において、一対のフラップと直交する辺縁部から一体に突出して形成されている。そして、一対のフラップの外側からこれに当接するように折り曲げられて、本体部の端部開口を塞ぐ。
【００１７】
次に、本発明の作用について説明する。まず本体部の収容部内の所定位置に仕切体を配設する。次に、仕切体によって区分けされた収容部に被包装物品を一方の開口から２本ずつ並装するように挿入した後、本体部の両側の開口を塞ぐように一対のフラップを折り曲げる。このとき、一対のフラップの先端部が並装された２本の被包装物品の間に挿入されるように、開口のほぼ中央位置においてそれぞれ収容部側に向かって折り曲げられる。
【００１８】
これにより、並装された２本の被包装物品の間には一対のフラップの先端部が両端の開口付近にそれぞれ挟まれるように位置することになる。次に、蓋部を一対のフラップに外側から当接するように折り曲げて一対のフラップを覆うように塞ぎ、包装箱が完成する。
【００１９】
請求項１の発明によれば、並装された２本の被包装物品の間に一対のフラップの先端部が両端の開口付近にそれぞれ挟まれるように位置することになるため、両者が直接当接することがなく、個装箱を使用することなく略十字状の仕切体を設けた場合と同等の緩衝作用を有する包装箱を提供することが可能となる。
【００２０】
請求項２の発明は、請求項１記載の包装箱において、仕切体は、包装材と一体的に形成されており、包装材を矩形状に折り曲げる際に収容部内に折り込むことによって配置されていることを特徴とする。
【００２１】
請求項２の発明によれば、仕切体が包装材と一体的に形成されているので、包装箱の組み立て工程がより簡略化される。
【００２２】
請求項３の発明は、請求項１または２記載の包装箱において、一対のフラップの先端部および仕切体の端部のそれぞれの平面がほぼ直交した状態で互いに差込みが可能なように一対のフラップの先端部および仕切体の端部の少なくとも一方に切欠き溝が形成されていることを特徴とする。
【００２３】
請求項３の発明によれば、一対のフラップの先端部および仕切体の端部の少なくとも一方に切欠き溝が形成されているので、両者を相対的に差込み固定することが可能となり、包装箱の組み立て工程がより簡略化される。
【００２４】
請求項４の物品包装体は、請求項１ないし３いずれか一記載の包装箱と；包装箱内に収容された物品と；を具備していることを特徴とする。
【００２５】
本発明において、「物品包装体」とは、包装箱とその内部に収容された物品との組み合わせをいう。したがって、本発明においては、請求項１ないし３の作用、効果を奏する物品包装体が得られる。
【００２６】
【発明の実施の形態】以下、図面を参照して本発明の実施の形態を説明する。
【００２７】
図１ないし図３は、本発明の包装箱の第１の実施形態を示し、図１は斜視図、図２は展開図、図３は要部拡大展開図である。各図において、１は本体部、２、２は一対のフラップ、３は蓋部、４は差込みフラップ、６は一対のフラップの先端部である。
【００２８】
本実施形態において、包装箱は、厚紙を切り取り、折り曲げ、かつ、接着剤により接合しているとともに、４本の直管形蛍光ランプを収容するように構成されている。
【００２９】
本体部１は、一体的に形成された四つの平面部すなわち図１において下平面部１ａ、側平面部１ｂ、上平面部１ｃ、側平面部１ｄが四角柱状に折り曲げられ、かつ、下平面部１ａに連続して形成された下糊しろ１ｅを側平面部１ｄの内面に接着することにより、両端が開口した四角柱状に形成されている。また、下糊しろ１ｅに連続して平面状の仕切体１ｆおよび上糊しろ１ｇが形成されていて、上糊しろ１ｇを側平面部１ｄの内面に接着する
ことにより、本体部１の内部に仕切体１ｆが配設されるので、四角柱の内部空間が軸方向に沿って上下に２分されている。
【００３０】
一対のフラップ２、２は、本体部１の両端の開口において、側平面部１ｂ、１ｄの辺縁部から一体に突出し、かつ、上記開口を塞ぐように折り曲げられる。また、フラップ２、２の先端部６は、本体部１の開口のほぼ中央位置においてそれぞれ収容部側に向かって折り曲げられる。この一対のフラップ２、２の先端部６、６によって仕切体１ｆで１／２に区分けされた収容部の開口付近がさらに１／２に区分けされ、収容部の開口付近に略１／４の大きさに区分けされた矩形領域が形成される。
【００３１】
一対のフラップ２、２の先端部６、６の中央には切欠き溝６ａが形成されており、仕切体１ｆの端部の平面とほぼ直交した状態で差込まれる。この切欠き溝６ａは、仕切体１ｆの端部の側に設けてもよく、一対のフラップ２、２の先端部６、６および仕切体１ｆの端部の両者に設けてもよい。
【００３２】
蓋部３は、本体部１の両端の開口において、上平面部１ｃの辺縁部から一体に突出し、上記開口を塞ぐ。また、蓋部３には、透孔３ａが形成されている。この透孔３ａは、内部に物品が収容されているか否かを目視によりチェックする際に利用することができる。また、収容された直管形蛍光ランプを包装された状態のままで良否判定を容易にチェックすることができる。すなわち、包装箱の外部から高周波電界を内部の直管形蛍光ランプに印加すると、良品の蛍光ランプは内部に封入されている放電媒体が励起されて発光するが、不良品は発光しないか、異常発光を行なうので、良否を判定することが可能になる。
【００３３】
差込みフラップ４は、蓋部３の自由端側に一体に突出して形成されている。また、差込みフラップ４と蓋部３との間の折り曲げ線の両端近傍にわずかな長さの切り込み線が形成されている。
【００３４】
そうして、本体部１の両端開口を塞ぐには、仕切体１ｆによって区分けされた収容部に４本の直管形蛍光ランプＬを一方の開口から２本ずつ並装するように挿入した後、一対のフラップ２、２を折り曲げて開口を塞ぐ。このとき、一対のフラップ２、２の先端部６、６が並装された２本の直管形蛍光ランプＬの端部間に挿入されるように、開口のほぼ中央位置においてそれぞれ収容部側に向かって折り曲げられる。これにより、並装された２本の直管形蛍光ランプＬの端部間には一対のフラップ２、２の先端部６、６が直管形蛍光ランプＬの端部間にそれぞれ挟まれるように位置することになる。次に、次に蓋部３をフラップに当接するように折り曲げて、差込みフラップ４を本体部１の端部とフラップ２、２の側縁との間に形成される隙間から本体部１内に差込むことで、包装箱が完成する。
【００３５】
本実施形態の包装箱によれば、並装された２本の直管形蛍光ランプＬの間に一対のフラップ２、２の先端部６、６が直管形蛍光ランプＬの端部間にそれぞれ挟まれるように位置することになるため、両者が直接当接することがなく、個装箱を使用することなく略十字状の仕切体を設けた場合と同等の緩衝作用を有する包装箱を提供することが可能となる。
【００３６】
なお、本実施形態では一対のフラップ２、２にそれぞれ先端部６、６を設けた構成を説明したが、直管形蛍光ランプＬの端部間にそれぞれ挟まれて緩衝作用を有する構造であれば、先端部６をいずれか一方のフラップ２に設けるようにしてもよい。
【００３７】
【発明の効果】請求項１の発明によれば、並装された２本の被包装物品の間に一対のフラップの先端部が両端の開口付近にそれぞれ挟まれるように位置することになるため、両者が直接当接することがなく、個装箱を使用することなく略十字状の仕切体を設けた場合と同等の緩衝作用を有する包装箱を提供することが可能となる。
【００３８】
請求項２の発明によれば、仕切体が包装材と一体的に形成されているので、包装箱の組み立て工程がより簡略化される。
【００３９】
請求項３の発明によれば、一対のフラップの先端部および仕切体の端部の少なくとも一方に切欠き溝が形成されているので、両者を相対的に差込み固定することが可能となり、包装箱の組み立て工程がより簡略化される。
【００４０】
請求項４の発明によれば、請求項１または２記載の包装箱と、包装箱内に収容された物品とを具備していることにより、請求項１および２の効果を有する物品包装体を提供することができる。
【図面の簡単な説明】
【図１】本発明の包装箱の第１の実施形態を示す斜視図
【図２】同じく展開図
【図３】同じく要部拡大展開図
【図４】従来の直管形蛍光ランプ２本を収納する包装箱を示す斜視図
【図５】同じく展開図
【符号の説明】
１…本体部、１ｆ…仕切体、２…一対のフラップ、３…蓋部、６…フラップの先端部。
【図１】
2004026220.tif 000003
【図２】
2004026220.tif 000004
【図３】
2004026220.tif 000005
【図４】
2004026220.tif 000006
【図５】
2004026220.tif 000007